(57)【特許請求の範囲】
【請求項１】
ケーシングと、
栓蓋を有し、前記栓蓋の昇降により浴槽の排水口を開閉する排水栓部と、
押しボタンを有し、前記押しボタンを押す操作を入力可能な操作部と、
前記押しボタンの動作を前記栓蓋へ伝達し前記栓蓋を昇降させる伝達部と、
前記栓蓋を上昇させる方向へ付勢する付勢部と、
前記栓蓋および前記押しボタンの位置を制御するロック機構と、
を備え、
前記押しボタンは、前記浴槽の上部に形成されたフランジもしくは前記浴槽の近傍に設けられたカウンタに設けられており、
前記伝達部は、
前記押しボタンの昇降動作と前記栓蓋の昇降動作とを連動させる伝達部材と、
前記伝達部材の途中に設けられ、前記押しボタンを押す力の方向を反転させて前記栓蓋へ伝達する動作反転部と、
を有し、前記付勢部の付勢力に対抗しつつ前記押しボタンを押す力を前記栓蓋へ伝達して前記栓蓋を下降可能とされ、
前記ロック機構は、前記栓蓋が下降し前記排水口を閉じた状態および前記押しボタンが下降した状態を保持可能であり、
前記動作反転部および前記ロック機構は、前記ケーシングに収納され一体化されてなることを特徴とする排水栓装置。
【請求項２】
前記伝達部材は、
前記押しボタンと前記動作反転部との間に配置された第１の伝達部材と、
前記動作反転部と前記栓蓋との間に配置された第２の伝達部材と、
を有し、
前記ケーシングは、
軸とカム溝とを有し、前記軸を中心として回動可能な回転体と、
前記ケーシングの内部で前記軸に対して相対的に移動可能であって前記カム溝の内部を移動可能なピンと、
を収納し、
前記回転体は、
前記回転体と、前記第１の伝達部材と、が接続された第１の接続部と、
前記軸からみて前記第１の接続部とは反対の側に設けられ、前記回転体と、前記第２の伝達部材と、が接続された第２の接続部と、
を有し、前記第１の伝達部材が前記押しボタンの側へ向かう方向に前記付勢部により付勢されてなり、
前記ロック機構は、前記押しボタンが押されると、前記押しボタンを押す力が前記第１の伝達部材により伝達されて前記回転体が回転し、前記付勢部の付勢力により前記ピンが前記カム溝の内部を案内されることで前記押しボタンを下降状態にロックし、前記ロックされた下降状態から前記押しボタンが押されてさらに下降すると、前記ロックが解除され前記付勢部の付勢力により前記押しボタンを上昇させることを特徴とする請求項１記載の排水栓装置。
【発明の詳細な説明】
【技術分野】
【０００１】
本発明の態様は、一般的に、排水栓装置に関する。
【背景技術】
【０００２】
例えば、ポップアップ式などと呼ばれる排水栓装置がある。ポップアップ式の排水栓装置には、例えば浴槽のフランジなどに設置された操作部と、栓蓋と、を連結したレリースワイヤが設けられている。そして、使用者は、操作部の手動ボタンにより栓蓋を遠隔操作し、排水口を開閉させることができる。
【０００３】
ここで、押しボタンが押し込まれた時に押し込みボタンを押し込み状態で保持し、解除ボタンが押し込まれた時に押しボタンの保持を解除する排水栓装置がある（特許文献１）。しかしながら、特許文献１に記載された排水栓装置は、栓蓋を開ける時に押圧する押しボタンと、栓蓋を閉じる時に押圧する解除ボタンと、が設けられている。そのため、排水口を開閉させるときの操作が煩雑になるという問題がある。また、栓蓋が上昇しているときに、すなわち排水口が開いているときに、例えば使用者が栓蓋を踏むと、排水栓装置が破損するおそれがある。
【０００４】
また、操作部の押し操作毎に栓蓋を昇降させ、排水口の開口状態を保持可能な遠隔操作式排水栓装置がある（特許文献２）。しかしながら、特許文献２に記載された遠隔操作式排水栓装置では、特許文献１に記載された排水栓装置と同様に、栓蓋が上昇しているときに例えば使用者が栓蓋を踏むと、遠隔操作式排水栓装置が破損するおそれがある。
【０００５】
これに対して、本発明者の検討の結果、操作ボタンの昇降状態と、栓蓋の昇降状態と、を同期させることで、例えば使用者が栓蓋を踏んだ場合でも排水栓装置の破損を防止できることが判明した。より具体的には、操作ボタンによる伝達力の方向を反転させ、その反転させた伝達力を栓蓋に伝えることで、排水栓装置の破損を防止できることが判明した。しかしながら、伝達力の方向を反転させる反転機構と、排水口の開閉状態を保持するロック機構と、が必要とであるため、装置の構造が複雑化するという点においては改善の余地がある。あるいは、部品点数の削減やコスト低減が困難であるという点においては改善の余地がある。
【先行技術文献】
【特許文献】
【０００６】
【特許文献１】特開平７−１９７５０３号公報
【特許文献２】特開２００４−２７８１６４号公報
【発明の概要】
【発明が解決しようとする課題】
【０００７】
本発明は、かかる課題の認識に基づいてなされたものであり、構造の簡略化や部品点数の削減やコスト低減を図ることができる排水栓装置を提供することを目的とする。
【課題を解決するための手段】
【０００８】
第１の発明は、ケーシングと、栓蓋を有し、前記栓蓋の昇降により浴槽の排水口を開閉する排水栓部と、押しボタンを有し、前記押しボタンを押す操作を入力可能な操作部と、前記押しボタンの動作を前記栓蓋へ伝達し前記栓蓋を昇降させる伝達部と、前記栓蓋を上昇させる方向へ付勢する付勢部と、前記栓蓋および前記押しボタンの位置を制御するロック機構と、を備え、前記押しボタンは、前記浴槽の上部に形成されたフランジもしくは前記浴槽の近傍に設けられたカウンタに設けられており、前記伝達部は、前記押しボタンの昇降動作と前記栓蓋の昇降動作とを連動させる伝達部材と、前記伝達部材の途中に設けられ、前記押しボタンを押す力の方向を反転させて前記栓蓋へ伝達する動作反転部と、を有し、前記付勢部の付勢力に対抗しつつ前記押しボタンを押す力を前記栓蓋へ伝達して前記栓蓋を下降可能とされ、前記ロック機構は、前記栓蓋が下降し前記排水口を閉じた状態および前記押しボタンが下降した状態を保持可能であり、前記動作反転部および前記ロック機構は、前記ケーシングに収納され一体化されてなることを特徴とする排水栓装置である。
【０００９】
この排水栓装置によれば、栓蓋の昇降状態と、押しボタンの昇降状態と、が同期する。そのため、使用者は、浴槽の内部を覗き込まなくとも押しボタンの昇降状態から排水口の開閉状態を直感的に把握することができる。つまり、排水口の開閉状態を使用者に分かりやすく伝えることができる。また、動作反転部およびロック機構がケーシングに収納され一体化されているため、排水栓装置の構造の簡略化を図ることができる。これにより、部品点数の削減やコスト低減を図ることができる。
【００１０】
また、第２の発明は、第１の発明において、前記伝達部材は、前記押しボタンと前記動作反転部との間に配置された第１の伝達部材と、前記動作反転部と前記栓蓋との間に配置された第２の伝達部材と、を有し、前記ケーシングは、軸とカム溝とを有し、前記軸を中心として回動可能な回転体と、前記ケーシングの内部で前記軸に対して相対的に移動可能であって前記カム溝の内部を移動可能なピンと、を収納し、前記回転体は、前記回転体と、前記第１の伝達部材と、が接続された第１の接続部と、前記軸からみて前記第１の接続部とは反対の側に設けられ、前記回転体と、前記第２の伝達部材と、が接続された第２の接続部と、を有し、前記第１の伝達部材が前記押しボタンの側へ向かう方向に前記付勢部により付勢されてなり、前記ロック機構は、前記押しボタンが押されると、前記押しボタンを押す力が前記第１の伝達部材により伝達されて前記回転体が回転し、前記付勢部の付勢力により前記ピンが前記カム溝の内部を案内されることで前記押しボタンを下降状態にロックし、前記ロックされた下降状態から前記押しボタンが押されてさらに下降すると、前記ロックが解除され前記付勢部の付勢力により前記押しボタンを上昇させることを特徴とする排水栓装置である。
【００１１】
この排水栓装置によれば、より簡単な構造を有する回転体を利用することで、ロック機構および動作反転部をケーシングに収納させ一体化することができる。これにより、部品点数の削減やコスト低減を図ることができる。
【発明の効果】
【００１２】
本発明の態様によれば、構造の簡略化や部品点数の削減やコスト低減を図ることができる排水栓装置が提供される。
【図面の簡単な説明】
【００１３】
【図１】本発明の実施の形態にかかる排水栓装置を表す概略模式図である。
【図２】本発明の実施の形態にかかる排水栓装置を表す概略模式図である。
【図３】本実施形態にかかる排水栓装置が設置された浴槽を表す斜視模式図である。
【図４】本実施形態のケーシングの内部構造を表す分解模式図である。
【図５】ワイヤの連結構造を説明するための断面模式図である。
【図６】ワイヤの連結構造を説明するための断面模式図である。
【図７】図５に表した切断面Ａ−Ａにおける断面模式図である。
【図８】レリースワイヤの連結構造を説明するための平面模式図である。
【図９】レリースワイヤの固定構造を表す斜視模式図である。
【図１０】本実施形態のワイヤガイドを表す斜視模式図である。
【図１１】図８に表した切断面Ｂ−Ｂにおける断面模式図である。
【図１２】インナーワイヤが回転体の第２の溝に嵌った状態を表す斜視模式図である。
【図１３】本実施形態の回転体を表す斜視模式図である。
【図１４】本実施形態のケーシングに形成されたガイド凹部を表す斜視模式図である。
【図１５】本実施形態のロック機構の動作を説明するための模式図である。
【図１６】本実施形態のロック機構の動作を説明するための模式図である。
【図１７】本実施形態のロック機構の動作を説明するための模式図である。
【図１８】本実施形態のロック機構の動作を説明するための模式図である。
【図１９】カム溝に対するロックピンの相対的な移動を説明するための平面模式図である。
【発明を実施するための形態】
【００１４】
以下、本発明の実施の形態について図面を参照しつつ説明する。なお、各図面中、同様の構成要素には同一の符号を付して詳細な説明は適宜省略する。  
図１および図２は、本発明の実施の形態にかかる排水栓装置を表す概略模式図である。  また、図３は、本実施形態にかかる排水栓装置が設置された浴槽を表す斜視模式図である。  
なお、図１は、開栓状態の排水栓装置を表す概略模式図である。また、図２は、閉栓状態の排水栓装置を表す概略模式図である。
【００１５】
本実施形態にかかる排水栓装置は、操作部１００と、ケーシング２００と、排水栓部３００と、を備える。図３に表したように、本実施形態にかかる排水栓装置は、浴槽５００に取り付けられ使用される。
【００１６】
操作部１００は、押しボタン（操作ボタン）１１０とケース１２０とを有し、浴槽５００の上部に形成されたフランジ５１０に取り付けられている。使用者は、押しボタン１１０を押すことができる。つまり、操作部１００は、押しボタン１１０を押す操作を入力可能とされている。排水栓部３００は、栓蓋３１０とケース３２０とを有し、浴槽５００の下部に形成された底部５２０に取り付けられている。なお、操作部１００は、浴槽５００の近傍に設けられた図示しないカウンタに取り付けられていてもよい。使用者は、押しボタン１１０を押す毎に栓蓋３１０を昇降させることができる。つまり、使用者は、押しボタン１１０を操作することで栓蓋３１０を遠隔操作することができる。
【００１７】
ケーシング２００は、上方へ延在する管２０３を有し、管２０３の上端部において操作部１００と連結されてなる。ケーシング２００は、後に詳述する伝達部や、付勢部や、ロック機構を収納する。伝達部は、伝達部材と、動作反転部と、増幅部と、を有し、押しボタン１１０を押すことによる押しボタン１１０の動作を栓蓋３１０へ伝達することができる。より具体的には、伝達部材は、押しボタン１１０と動作反転部との間に配置されたワイヤ（第１の伝達部材）２１１と、動作反転部と栓蓋３１０との間に配置されたレリースワイヤ（第２の伝達部材）２１２と、を有する。図１および図２に表したように、ケーシング２００は、ワイヤ２１１およびレリースワイヤ２１２の全部ではなく一部を収納している。
【００１８】
レリースワイヤ２１２は、アウターチューブ２１２ａと、インナーワイヤ２１２ｂと、を有する。インナーワイヤ２１２ｂは、アウターチューブ２１２ａの内部を移動可能で状態で設けられている。ワイヤ２１１およびレリースワイヤ２１２は、浴槽５００のフランジ５１０と底部５２０とに連結されたガイド筒５３０に内蔵されている。ワイヤ２１１は、ケーシング２００の管２０３に内蔵されている。なお、第１の伝達部材２１１は、第２の伝達部材２１２と同様に、レリースワイヤであってもよい。
【００１９】
排水栓部３００の栓蓋３１０は、図示しない排水口金具に設けられている。図示しない排水口金具は、浴槽５００の底部５２０に形成された排水口５２１に設けられている。栓蓋３１０は、昇降動作により排水口５２１の開栓状態と閉栓状態とを切り替えることができる。  
排水栓部３００のケース３２０は、栓蓋３１０の下方に設けられている。ケース３２０は、外ケース３２１と内ケース３２２とを有する。外ケース３２１と内ケース３２２とは、互いに嵌合され、上端面および下端面において貫通孔をそれぞれ有する。
【００２０】
また、排水栓部３００は、ピン３２３を有する。ピン３２３は、ケース３２０の内部において昇降可能な状態で設けられている。ピン３２３の上部は、外ケース３２１の上端面に形成された貫通孔を突き抜け、ケース３２０の外部に露出している。一方、ピン３２３の下部には、レリースワイヤ２１２のインナーワイヤ２１２ｂが内ケース３２２の貫通孔を突き抜けて固定されている。レリースワイヤ２１２のアウターチューブ２１２ａは、内ケース３２２に固定されている。
【００２１】
本実施形態にかかる排水栓装置では、図１に表したように、排水口５２１の開栓状態（栓蓋３１０の上昇状態）において、押しボタン１１０は、上昇状態すなわち操作部１００のケース１２０から上方へ突出した状態となっている。言い換えれば、押しボタン１１０の側面が操作部１００のケース１２０から上方へ露出した状態となっている。
【００２２】
この状態から押しボタン１１０が押されて下方へ移動すると、図２に表したように、押しボタン１１０は、下降状態すなわち操作部１００のケース１２０に収納された状態となる。言い換えれば、押しボタン１１０の側面が操作部１００のケース１２０で隠蔽された状態となる。そして、押しボタン１１０の上面と、操作部１００のケース１２０の上面と、は、略同一面となる。このとき、栓蓋３１０は、下降状態となり排水口５２１を塞ぐ。すなわち、排水口５２１が閉栓状態となる。続いて、この状態から押しボタン１１０が上方へ移動すると、押しボタン１１０は、図１に関して前述した状態へと遷移する。
【００２３】
このように、本実施形態にかかる排水栓装置では、栓蓋３１０の昇降状態と、押しボタン１１０の昇降状態と、が同期する。すなわち、栓蓋３１０が上昇状態にあるときには、押しボタン１１０は、上昇状態にある。一方、栓蓋３１０が下降状態にあるときには、押しボタン１１０は、下降状態にある。ワイヤ２１１およびレリースワイヤ２１２は、押しボタン１１０を押す力を栓蓋３１０へ伝達し、押しボタン１１０の昇降動作と、栓蓋３１０の昇降動作と、を連動させることができる。
【００２４】
次に、本実施形態のケーシング２００の内部構造について、図面を参照しつつ説明する。  
図４は、本実施形態のケーシングの内部構造を表す分解模式図である。
【００２５】
本実施形態のケーシング２００の内部には、パッキン２２０と、ワイヤガイド２３０と、回転体（増幅部、動作反転部）３４０と、付勢部２５０と、が収納されている。パッキン２２０は、例えば操作部１００の押しボタン１１０とケース１２０との間の隙間から浸入した水（加熱されたお湯を含む）がワイヤガイド２３０や回転体２４０や付勢部２５０の側へ浸入することを防止する。付勢部２５０は、例えば「ねじりコイルばね」などと呼ばれるばねである。付勢部２５０は、ケーシング２００と回転体２４０とに係合されて栓蓋３１０を上昇させる方向すなわち押しボタン１１０を上昇させる方向に付勢している。
【００２６】
回転体２４０は、栓蓋３１０および押しボタン１１０の位置を制御するロック機構を有する。つまり、本実施形態にかかる排水栓装置では、動作反転部とロック機構とは、１つのケーシング２００に収納され一体化されている。これによれば、部品点数の削減やコスト削減を図ることができる。また、回転体２４０は、外周に形成された第１の溝２４１および第２の溝２４２を有する。ワイヤガイド２３０および回転体２４０については、後に詳述する。
【００２７】
パッキン２２０、ワイヤガイド２３０、回転体２４０、および付勢部２５０は、ケーシング２００に取り付けられた蓋２７０により覆われている。ケーシング２００の内周面には、雌ねじ２０１が形成されている。一方、蓋２７０の外周面には、雄ねじ７１１が形成されている。ケーシング２００と蓋２７０とは、互いに螺合することで、パッキン２２０と、ワイヤガイド２３０と、回転体２４０と、付勢部２５０と、を隠蔽することができる。
【００２８】
なお、ケーシング２００と蓋２７０との接合方法は、螺合だけに限定されず、溶着や接着であってもよい。ケーシング２００と蓋２７０とが溶着あるいは接着された場合には、パッキン２２０を設ける必要はない。また、図４に表したケーシング２００のようには、ケーシング２００の外形に段差部を設ける必要はない。そのため、部品点数の削減や、構造の簡略化などを図ることができる。また、コスト削減を図ることができる。
【００２９】
図５および図６は、ワイヤの連結構造を説明するための断面模式図である。  
また、図７は、図５に表した切断面Ａ−Ａにおける断面模式図である。  
なお、図５は、押しボタン１１０が下降状態にある場合を表している。また、図６は、押しボタン１１０が下降状態からさらに下方へ押された状態を表している。また、図５および図６では、蓋２７０、パッキン２２０、およびワイヤガイド２３０を省略している。
【００３０】
ワイヤ２１１は、第１のワイヤ２１１ａと、第２のワイヤ２１１ｂと、を有する。第１のワイヤ２１１ａの一端は、一端が押しボタン１１０に接続された連結体１３０に固定されている。第１のワイヤ２１１ａの他端は、第２のワイヤ２１１ｂの一端に固定されている。第２のワイヤ２１１ｂの他端は、回転体２４０の第１の溝２４１（図４参照）に適宜固定されている。図７に表したように、ケーシング２００の管２０３は、二重管の構造を有する。ワイヤ２１１は、ケーシング２００の管２０３の内管２０３ｂの内部を移動することができる。一方、連結体１３０は、ケーシング２００の管２０３の外管２０３ａと内管２０３ｂとの間の空間を移動することができる。
【００３１】
回転体２４０は、軸２４３（図１３参照）を有する。一方、ケーシング２００は、軸受け部２０５を有する。回転体２４０の軸２４３がケーシング２００の軸受け部２０５と係合することで、回転体２４０は、軸２４３を中心として回動することができる。
【００３２】
押しボタン１１０が押されて図６に表した矢印Ａ１の方向へ移動すると、連結体１３０を介して押しボタン１１０と連結されたワイヤ２１１は、下方すなわち回転体２４０の側へ移動する。そして、押しボタン１１０を押す力は、連結体１３０およびワイヤ２１１を介して回転体２４０へ伝達される。そうすると、回転体２４０は、軸２４３を中心として図６に表した矢印Ａ２の方向へ回動する。このとき、図４に関して前述したように、付勢部２５０は、栓蓋３１０を上昇させる方向すなわち押しボタン１１０を上昇させる方向に付勢しているため、回転体２４０は、付勢部２５０の付勢力に対抗して回動する。
【００３３】
一方、押しボタン１１０が図６に表した矢印Ａ１とは反対の方向へ移動すると、ワイヤ２１１は、付勢部２５０の付勢力によって上方すなわち回転体２４０とは反対の側へ移動する。そして、回転体２４０は、付勢部２５０の付勢力によって軸２４３を中心として図６に表した矢印Ａ２とは反対の方向へ回動する。
【００３４】
第１のワイヤ２１１ａの剛性は、第２のワイヤ２１１ｂの剛性よりも高い。また、第１のワイヤ２１１ａの長さは、第２のワイヤ２１１ｂの長さよりも長い。これによれば、押しボタン１１０と回転体２４０との間の距離が比較的長い場合でも、ワイヤ２１１は、押しボタン１１０を押す力をより確実に回転体２４０へ伝達することができる。また、第２のワイヤ２１１ｂは、回転体２４０の第１の溝２４１に嵌った状態で固定されている。そのため、第２のワイヤ２１１ｂが回転体２４０の第１の溝２４１から外れることを抑制することができる。
【００３５】
なお、図４に関して前述したように、例えば操作部１００の押しボタン１１０とケース１２０との間の隙間から浸入した水は、ケーシング２００の管２０３の外管２０３ａと内管２０３ｂとの間の空間を流れる。そして、ガイド筒５３０（図３参照）を流れて既存の排水管へ導かれる。
【００３６】
図８は、レリースワイヤの連結構造を説明するための平面模式図である。  
また、図９は、レリースワイヤの固定構造を表す斜視模式図である。  
また、図１０は、本実施形態のワイヤガイドを表す斜視模式図である。  
また、図１１は、図８に表した切断面Ｂ−Ｂにおける断面模式図である。  
また、図１２は、インナーワイヤが回転体の第２の溝に嵌った状態を表す斜視模式図である。  
また、図１３は、本実施形態の回転体を表す斜視模式図である。  
なお、図８では、蓋２７０およびパッキン２２０を省略している。
【００３７】
本実施形態のワイヤガイド２３０は、ケーシング２００に固定されている。より具体的には、図１０に表したように、ワイヤガイド２３０は、脚部２３３を有する。一方、図５および図８に表したように、ケーシング２００は、脚受け部２０７を有する。ワイヤガイド２３０の脚部２３３がケーシング２００の脚受け部２０７と係合することで、ワイヤガイド２３０は、ケーシング２００に固定される。すなわち、ワイヤガイド２３０は、回転体２４０とは異なり、ケーシング２００に対して回転するわけではない。なお、脚部２３３および脚受け部２０７の数は、特に限定されるわけではない。
【００３８】
図９に表したように、レリースワイヤ２１２は、アウターチューブ２１２ａの一部に設けられた突起部２１２ｃを有する。一方、図９および図１０に表したように、ワイヤガイド２３０は、孔２３１を有する。図９に表した矢印Ａ３のように、レリースワイヤ２１２の突起部２１２ｃをワイヤガイド２３０の孔２３１と嵌合させることで、レリースワイヤ２１２をワイヤガイド２３０に固定することができる。前述したように、ワイヤガイド２３０は、ケーシング２００に固定されている。そのため、アウターチューブ２１２ａは、ワイヤガイド２３０を介してケーシング２００に固定される。
【００３９】
インナーワイヤ２１２ｂの一端は、回転体２４０の第２の溝２４２（図４参照）に適宜固定されている。このとき、図１１および図１２に表したように、インナーワイヤ２１２ｂは、回転体２４０の第２の溝２４２に嵌った状態で固定されている。さらに、図８および図１１に表したように、インナーワイヤ２１２ｂは、回転体２４０の第２の溝２４２の外側においてワイヤガイド２３０に形成されたガイド壁２３５により覆われている。そのため、インナーワイヤ２１２ｂが回転体２４０の第２の溝２４２から外れることをより確実に抑制することができる。  
図１および図２に関して前述したように、インナーワイヤ２１２ｂの他端は、排水栓部３００のピン３２３に固定されている。
【００４０】
図６に関して前述したように、押しボタン１１０が押されて図８に表した矢印Ａ１の方向へ移動すると、回転体２４０は、軸２４３を中心として図８に表した矢印Ａ２の方向へ回動する。そうすると、回転体２４０の第２の溝２４２に固定されたインナーワイヤ２１２ｂは、図８に表した矢印Ａ３の方向へ移動する。そうすると、インナーワイヤ２１２ｂの他端に固定された排水栓部３００のピン３２３は、下降する。これによれば、ピン３２３により支持されていた栓蓋３１０は、支持を失い自重により下降して排水口５２１を閉栓状態とする。
【００４１】
一方、押しボタン１１０が図８に表した矢印Ａ１とは反対の方向へ移動すると、回転体２４０は、軸２４３を中心として図８に表した矢印Ａ２とは反対の方向へ回動する。そうすると、回転体２４０の第２の溝２４２に固定されたインナーワイヤ２１２ｂは、図８に表した矢印Ａ３とは反対の方向へ移動する。そうすると、インナーワイヤ２１２ｂの他端に固定された排水栓部３００のピン３２３は、上昇する。これによれば、栓蓋３１０は、ピン３２３により支持され上昇して排水口５２１を開栓状態とする。
【００４２】
このようにして、栓蓋３１０の昇降状態と、押しボタン１１０の昇降状態と、を同期させることができる。言い換えれば、押しボタン１１０の昇降動作と、栓蓋３１０の昇降動作と、を連動させることができる。つまり、回転体２４０は、押しボタン１１０の動作による駆動力の方向を反転させて栓蓋３１０へ伝達する動作反転部としての機能を有する。
【００４３】
これによれば、使用者は、浴槽５００の内部を覗き込まなくとも押しボタン１１０の昇降状態から排水口の開閉状態を直感的に把握することができる。つまり、本実施形態にかかる排水栓装置によれば、排水口の開閉状態を使用者に分かりやすく伝えることができる。
【００４４】
また、排水口５２１の開栓状態において、使用者が例えば足で栓蓋３１０を踏みつけるなどして無理に栓蓋３１０を押し下げると、栓蓋３１０の動作による駆動力は、ピン３２３を介してインナーワイヤ２１２ｂに伝達される。そうすると、インナーワイヤ２１２ｂは、図８に表した矢印Ａ３の方向へ移動する。そうすると、回転体２４０は、付勢部２５０の付勢力に対抗しつつ図８に表した矢印Ａ２の方向へ回動する。そうすると、ワイヤ２１１および押しボタン１１０は、下降する。
【００４５】
つまり、排水口５２１の開栓状態においては、押しボタン１１０は、自由に下降可能である。そのため、排水口５２１の開栓状態において、使用者が例えば足で栓蓋３１０を踏みつけるなどして無理に栓蓋３１０を押し下げても、排水栓装置が破損することを抑制することができる。
【００４６】
図４および図１３に表したように、回転体２４０の第２の溝２４２は、回転体２４０の軸２４３からみて第１の溝２４１とは反対の側に設けられている。そのため、図８に表したように、レリースワイヤ２１２のインナーワイヤ２１２ｂと、回転体２４０の第２の溝２４２と、の接続部（第１の接続部）２１１ｄは、回転体２４０の軸２４３からみて、ワイヤ２１１と、回転体２４０の第１の溝２４１と、の接続部（第２の接続部）２１２ｄとは反対の側に位置する。
【００４７】
また、第１の接続部２１１ｄと、回転体２４０の軸２４３と、の間の距離Ｄ１は、第２の接続部２１２ｄと、回転体２４０の軸２４３と、の間の距離Ｄ２よりも長い。そのため、てこの原理あるいは力のモーメントにより、レリースワイヤ２１２のインナーワイヤ２１２ｂが伝達する力は、ワイヤ２１１が伝達する力よりも大きい。言い換えれば、ワイヤ２１１が伝達する力は、回転体２４０により増幅されてレリースワイヤ２１２のインナーワイヤ２１２ｂにより伝達される。つまり、回転体２４０は、押しボタン１１０を押す力を増幅して栓蓋３１０へ伝達する増幅部としての機能を有する。
【００４８】
ここで、排水口５２１の開栓状態すなわち栓蓋３１０の上昇状態は、付勢部２５０の付勢力を１つの要素あるいは要因として維持される。つまり、付勢部２５０が回転体２４０を図８に表した矢印Ａ２とは反対の方向へ付勢する力を１つの要素あるいは要因として、排水口５２１の開栓状態すなわち栓蓋３１０の上昇状態が維持される。そのため、付勢部２５０の付勢力が比較的小さい場合には、排水時の水圧による力や排水時の引き込み力により栓蓋３１０の上昇状態が維持できない場合がある。
【００４９】
これに対して、本実施形態にかかる排水栓装置によれば、付勢部２５０の付勢力をより大きくすることで、排水時において排水口５２１の開栓状態すなわち栓蓋３１０の上昇状態を維持することができる。すなわち、押しボタン１１０を押す力を回転体２４０が増幅して栓蓋３１０へ伝達する増幅部として機能するため、付勢部２５０の付勢力をより大きくしても、押しボタン１１０を押すために必要な力を低減することができる。そのため、押しボタン１１０の操作時における使用者への負担を低減することができる。これにより、排水時における水流の勢いで排水口５２１が閉栓状態となることを抑制し、より確実に排水を実行することができる。
【００５０】
また、より簡単な構造を有する回転体２４０を利用することで、押しボタン１１０を押す力が増幅され栓蓋３１０へ伝達される。そのため、部品点数およびコストの削減を図ることができる。
【００５１】
さらに、第１の接続部２１１ｄと、回転体２４０の軸２４３と、の間の距離Ｄ１は、第２の接続部２１２ｄと、回転体２４０の軸２４３と、の間の距離Ｄ２よりも長いため、押しボタン１１０の昇降距離（ストローク）は、栓蓋３１０の昇降距離（ストローク）よりも長い。そのため、栓蓋３１０が上昇した場合における押しボタン１１０の上昇距離は、比較的長い（図１および図８参照）。これにより、押しボタン１１０の上昇状態を使用者が視認しやすくなり、排水口の開閉状態をより分かりやすく使用者に伝えることができる。
【００５２】
次に、本実施形態のロック機構について、図面を参照しつつ説明する。  
図１４は、本実施形態のケーシングに形成されたガイド凹部を表す斜視模式図である。  ケーシング２００の底部２０８には、ガイド凹部２０９が設けられている（図４および図７参照）。ガイド凹部２０９は、径方向に延在している（図１５参照）。また、ガイド凹部２０９の内部には、ロックピン２６０が設けられている。ロックピン２６０は、基台２６１と、基台２６１から突出した凸部２６３と、を有し、図１４に表した矢印Ａ４および矢印Ａ５の方向に移動することができる。つまり、ロックピン２６０は、回転体２４０の軸２４３（図１３参照）あるいはケーシング２００の軸受け部２０５（図５参照）に対して相対的に移動することができる。
【００５３】
図１３に表したように、回転体２４０は、ロックピン２６０の凸部２６３が内部を移動可能なカム溝２４５を有する。回転体２４０の軸２４３がケーシング２００の軸受け部２０５と係合したときには、カム溝２４５の底面２４５ｅは、ロックピン２６０の凸部２６３の上面２６３ａと対向する。  
このように、本実施形態のロック機構は、ガイド凹部２０９と、ロックピン２６０と、カム溝２４５と、を有する。
【００５４】
カム溝２４５は、第１のコーナ部２４５ａと、第２のコーナ部２４５ｂと、第３のコーナ部２４５ｃと、第４のコーナ部２４５ｄと、を有する。第１〜第４のコーナ部２４５ａ、２４５ｂ、２４５ｃ、２４５ｄの径は、ロックピン２６０の凸部２６３の径と略同じあるいはそれよりも大きい。そして、カム溝２４５は、第１〜第４のコーナ部２４５ａ、２４５ｂ、２４５ｃ、２４５ｄのそれぞれにおいて、ロックピン２６０を保持可能である。図１３に表したように、カム溝２４５の底面２４５ｅに対して垂直にみたときに、カム溝２４５の形状は、略ハート状である。
【００５５】
図１５〜図１８は、本実施形態のロック機構の動作を説明するための模式図である。  
また、図１９は、カム溝に対するロックピンの相対的な移動を説明するための平面模式図である。  
なお、図１５（ａ）、図１６（ａ）、図１７（ａ）、および図１８（ａ）は、押しボタンの昇降状態を表す断面模式図である。  
また、図１５（ｂ）、図１６（ｂ）、図１７（ｂ）、および図１８（ｂ）は、回転体およびロックピンの位置を表す平面模式図である。  
また、図１５（ｃ）、図１６（ｃ）、図１７（ｃ）、および図１８（ｃ）は、栓蓋の昇降状態を表す断面模式図である。  
また、図１５（ｂ）、図１６（ｂ）、図１７（ｂ）、および図１８（ｂ）では、蓋２７０、パッキン２２０、およびワイヤガイド２３０を省略している。  
また、図１９は、ロックピン２６０の側からカム溝２４５を眺めたときの平面模式図である。
【００５６】
図１５（ａ）および図１５（ｃ）に表したように、押しボタン１１０が上昇状態にあるとき、栓蓋３１０は、排水栓部３００のピン３２３により支持され上昇状態にある（排水口５２１の開栓状態）。このとき、図１５（ｂ）および図１９に表したように、ロックピン２６０は、カム溝２４５の第１のコーナ部２４５ａに位置する。すなわち、ロックピン２６０がカム溝２４５の第１のコーナ部２４５ａに位置（到達）することにより、押しボタン１１０の上昇状態および栓蓋３１０の上昇状態（排水口５２１の開栓状態）が保持される（第１のロック状態）。
【００５７】
なお、この状態において、使用者が例えば足で栓蓋３１０を踏みつけるなどして無理に栓蓋３１０を押し下げた場合、栓蓋３１０の動作による駆動力は、ピン３２３を介してインナーワイヤ２１２ｂに伝達される。そうすると、インナーワイヤ２１２ｂは、ロック機構の第１のロック状態を解除して、回転体２４０を、付勢部２５０の付勢力に対抗しつつ図１５（ｂ）に表した矢印Ａ１２の方向へ回動する。そうすると、ワイヤ２１１および押しボタン１１０は、下降する。これにより、栓蓋３１０を踏みつけるなどして無理な力を加えても排水栓装置が破損することを抑制することができる。
【００５８】
続いて、使用者が押しボタン１１０を図１５（ａ）に表した矢印Ａ１１の方向に押すと、押しボタン１１０の下降動作による駆動力がワイヤ２１１により回転体２４０へ伝達される。そのため、回転体２４０は、付勢部２５０の付勢力に対抗しつつ図１５（ｂ）に表した矢印Ａ１２の方向へ回動する。そうすると、ロックピン２６０は、ガイド凹部２０９の内部を移動しつつ、図１９に表した矢印Ａ２１のようにカム溝２４５の内部を移動する。つまり、第１のロック状態が解除される。また、排水栓部３００のピン３２３は、下降する。
【００５９】
そして、図１６（ｂ）および図１９に表したように、ロックピン２６０がカム溝２４５の第２のコーナ部２４５ｂに到達すると、押しボタン１１０および排水栓部３００のピン３２３の下降動作が停止する。つまり、ロックピン２６０がカム溝２４５の第２のコーナ部２４５ｂに到達したときに、押しボタン１１０および排水栓部３００のピン３２３は、最下端の位置に到達する。
【００６０】
このとき、図１６（ｃ）に表したように、排水栓部３００のピン３２３は、栓蓋３１０から離れ、栓蓋３１０を支持していない。そのため、栓蓋３１０は、排水栓部３００のピン３２３による支持を失い下降する。これにより、排水口５２１は、閉栓状態となる。
【００６１】
続いて、使用者が押しボタン１１０から手を離すと、回転体２４０は、付勢部２５０の付勢力により図１６（ｂ）に表した矢印Ａ１３の方向へ回動する。そうすると、回転体２４０の回動による駆動力が、ワイヤ２１１およびレリースワイヤ２１２により押しボタン１１０および排水栓部３００のピン３２３へそれぞれ伝達される。そのため、押しボタン１１０および排水栓部３００のピン３２３は、最下端の位置から上昇する。
【００６２】
またこのとき、ロックピン２６０は、ガイド凹部２０９の内部を移動しつつ、図１９に表した矢印Ａ２２のようにカム溝２４５の内部を移動する。そして、図１７（ｂ）および図１９に表したように、ロックピン２６０がカム溝２４５の第３のコーナ部２４５ｃに到達し保持されると、押しボタン１１０および排水栓部３００のピン３２３の上昇動作が停止する。
【００６３】
このとき、図１７（ｃ）に表したように、排水栓部３００のピン３２３は、最下端の位置から僅かに上昇するが、栓蓋３１０から離れ、栓蓋３１０を支持していない。そのため、排水口５２１は、閉栓状態のままで保持される。つまり、図１７（ａ）〜図１７（ｃ）に表したように、ロックピン２６０がカム溝２４５の第３のコーナ部２４５ｃに到達し保持されることにより、押しボタン１１０の下降状態および栓蓋３１０の下降状態（排水口５２１の閉栓状態）が保持される（第２のロック状態）。
【００６４】
続いて、使用者が押しボタン１１０を図１７（ａ）に表した矢印Ａ１４の方向に押すと、押しボタン１１０の下降動作による駆動力がワイヤ２１１により回転体２４０へ伝達される。そのため、回転体２４０は、付勢部２５０の付勢力に対抗しつつ図１７（ｂ）に表した矢印Ａ１５の方向へ回動する。そうすると、ロックピン２６０は、ガイド凹部２０９の内部を移動しつつ、図１９に表した矢印Ａ２３のようにカム溝２４５の内部を移動する。つまり、第２のロック状態が解除される。また、排水栓部３００のピン３２３は、下降する。
【００６５】
そして、図１８（ｂ）および図１９に表したように、ロックピン２６０がカム溝２４５の第４のコーナ部２４５ｄに到達すると、押しボタン１１０および排水栓部３００のピン３２３の下降動作が停止する。つまり、ロックピン２６０がカム溝２４５の第４のコーナ部２４５ｄに到達したときに、押しボタン１１０および排水栓部３００のピン３２３は、最下端の位置に到達する。
【００６６】
このとき、図１８（ｃ）に表したように、排水栓部３００のピン３２３は、栓蓋３１０から離れ、栓蓋３１０を支持していない。そのため、栓蓋３１０は、そのため、排水口５２１は、閉栓状態のままである。
【００６７】
続いて、使用者が押しボタン１１０から手を離すと、回転体２４０は、付勢部２５０の付勢力により図１８（ｂ）に表した矢印Ａ１６の方向へ回動する。そうすると、回転体２４０の回動による駆動力が、ワイヤ２１１およびレリースワイヤ２１２により押しボタン１１０および排水栓部３００のピン３２３へそれぞれ伝達される。そのため、押しボタン１１０および排水栓部３００のピン３２３は、最下端の位置から上昇する。
【００６８】
またこのとき、ロックピン２６０は、ガイド凹部２０９の内部を移動しつつ、図１９に表した矢印Ａ２４のようにカム溝２４５の内部を移動する。そして、図１５（ｂ）および図１９に表したように、ロックピン２６０がカム溝２４５の第１のコーナ部２４５ｃに到達し保持されると、押しボタン１１０および排水栓部３００のピン３２３の上昇動作が停止する。つまり、図１５（ａ）〜図１５（ｃ）に表したように、ロックピン２６０がカム溝２４５の第１のコーナ部２４５ａに到達し保持されることにより、押しボタン１１０の下降状態および栓蓋３１０の下降状態（排水口５２１の閉栓状態）が保持される（第１のロック状態）。
【００６９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、ケーシング２００などが備える各要素の形状、寸法、材質、配置などや操作部１００や排水栓部３００の設置形態などは、例示したものに限定されるわけではなく適宜変更することができる。また例えば、ケーシング２００は、排水栓部１００と離れて設置されていてもよく、レリースワイヤの中間位置に設置されていてもよい。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７０】
１００ 操作部、  １１０ 押しボタン、  １２０ ケース、  １３０ 連結体、  １４０ スラストロック機構、  １４１ 付勢部、  １４３ 支持軸、  ２００ ケーシング、  ２０１ 雌ねじ、  ２０３ 管、  ２０３ａ 外管、  ２０３ｂ 内管、  ２０５ 軸受け部、  ２０７ 脚受け部、  ２０８ 底部、  ２０９ ガイド凹部、  ２１１ ワイヤ、  ２１１ａ 第１のワイヤ、  ２１１ｂ 第２のワイヤ、  ２１１ｄ 第１の接続部、  ２１２ レリースワイヤ、  ２１２ａ アウターチューブ、  ２１２ｂ インナーワイヤ、  ２１２ｃ 突起部、  ２１２ｄ 第２の接続部、  ２１３ 第１のレリースワイヤ、  ２１３ａ アウターチューブ、  ２１３ｂ インナーワイヤ、  ２１４ 第２のレリースワイヤ、  ２１４ａ アウターチューブ、  ２１４ｂ インナーワイヤ、  ２２０ パッキン、  ２３０ ワイヤガイド、  ２３１ 孔、  ２３３ 脚部、  ２３５ ガイド壁、  ２４０ 回転体、  ２４１ 第１の溝、  ２４２ 第２の溝、  ２４３ 軸、  ２４５ カム溝、  ２４５ａ 第１のコーナ部、  ２４５ｂ 第２のコーナ部、  ２４５ｃ 第３のコーナ部、  ２４５ｄ 第４のコーナ部、  ２４５ｅ 底面、  ２５０ 付勢部、  ２６０ ロックピン、  ２６１ 基台、  ２６３ 凸部、  ２６３ａ 上面、  ２７０ 蓋、  ２７１ 雄ねじ、  ３００ 排水栓部、  ３１０ 栓蓋、  ３２０ ケース、  ３２１ 外ケース、  ３２２ 内ケース、  ３２３ ピン、  ５００ 浴槽、  ５１０ フランジ、  ５２０ 底部、  ５２１ 排水口、  ５３０ ガイド筒
【図１】
0005900723.tif 000002
【図２】
0005900723.tif 000003
【図３】
0005900723.tif 000004
【図４】
0005900723.tif 000005
【図５】
0005900723.tif 000006
【図６】
0005900723.tif 000007
【図７】
0005900723.tif 000008
【図８】
0005900723.tif 000009
【図９】
0005900723.tif 000010
【図１０】
0005900723.tif 000011
【図１１】
0005900723.tif 000012
【図１２】
0005900723.tif 000013
【図１３】
0005900723.tif 000014
【図１４】
0005900723.tif 000015
【図１５】
0005900723.tif 000016
【図１６】
0005900723.tif 000017
【図１７】
0005900723.tif 000018
【図１８】
0005900723.tif 000019
【図１９】
0005900723.tif 000020